(57)【要約】【課題】固定子構成体の熱抵抗を低減する新規な構成を具備する固定子構成体及び電動機を提供すること。【解決手段】本発明に係る電動機に含む固定子構成体１００の構成には、固定子枠体４０の内部に、固定子８０を含む固定子中間組立体９０と、弾性体６０と、を含む。固定子中間組立体９０の構成は、固定子８０と、印刷配線板７０と、を含む。固定子８０の構成は、固定子磁心１０と、インシュレータ２０と、巻装体３０と、を含む。固定子枠体４０の構成は、底部４０ａと、軸受配置孔４０ｂと、筒状縁部４０ｃと、枠部５０と、を含む。固定子枠体４０の中に、固定子枠体４０の開口端の側から固定子中間組立体９０を納置する。このとき、固定子中間組立体９０は、印刷配線板７０の配置側を固定子枠体４０の開口端の側に位置させる。【選択図】図１
2020202602.tif 000002
【特許請求の範囲】
【請求項１】
固定子磁心と、前記固定子磁心に有するティースの各々を覆うインシュレータと、前記インシュレータ毎に絶縁電線を巻装する巻装体とを含む固定子と、この固定子の巻装体と電気的に接続される印刷配線板とを含む固定子中間組立体と、前記固定子中間組立体を収容する固定子枠体と、前記固定子枠体の内の底部と前記底部と相対する前記固定子中間組立体の対向部との間に位置し且つ前記巻装体における前記固定子枠体の内の底部側に位置するコイルエンド部の各々と前記固定子枠体の底部とを熱結合する弾性体と、前記弾性体に含む複数の放熱結合部の各々と前記コイルエンドの各々とが当接する構成と、を含む固定子構成体。
【請求項２】
前記放熱結合部の構成に、前記コイルエンドの各々の凸状コイルエンド形状に対応する凹状形状を含む請求項１に記載の固定子構成体。
【請求項３】
前記放熱結合部の構成に、前記コイルエンドと前記熱結合部とが接する箇所における前記熱結合部の表層部分に易弾性変形構造を含む請求項１に記載の固定子構成体。
【請求項４】
前記放熱結合部の構成に、前記コイルエンドと前記熱結合部とが接する箇所における前記熱結合部の表層部分に複数の溝状凹部を列設する易弾性変形構造を含む請求項１に記載の固定子構成体。
【請求項５】
前記放熱結合部の構成に、前記コイルエンドと前記熱結合部とが接する箇所における前記熱結合部の表層部分に複数の畝状凸部を列設する易弾性変形構造を含む請求項１に記載の固定子構成体。
【請求項６】
前記放熱結合部の構成に、前記コイルエンドと前記熱結合部とが接する箇所における前記熱結合部の表層部分に複数の四角錘を市松模様状に配置する易弾性変形構造を含む請求項１に記載の固定子構成体。
【請求項７】
前記放熱結合部の構成に、前記コイルエンドと前記熱結合部とが接する箇所における前記熱結合部の表層部分に複数の台形錘を市松模様状に配置する易弾性変形構造を含む請求項１に記載の固定子構成体。
【請求項８】
前記弾性体の構成において、前記弾性体の内部の一部分に熱伝導性を有する金属板体を埋設する構成を含む請求項１に記載の固定子構成体。
【請求項９】
前記巻装体の構成において、絶縁電線が整列巻されて前記コイルエンド部の仮想外形包絡面が略平坦である構成を含む請求項１に記載の固定子構成体。
【請求項１０】
前記絶縁電線において、前記絶縁電線の被膜である絶縁被膜の上層側に更に融着被膜を具備する構成を含む請求項１に記載の固定子構成体。
【請求項１１】
前記コイルエンド部と前記放熱結合部とが衝合する衝合面の少なくとも一部分に樹脂硬化物を含む請求項１に記載の固定子構成体。
【請求項１２】
前記弾性体の構成において、前記コイルエンド部の表面又は／及び前記放熱結合部の表面に、熱放射率を高める熱放射性塗膜を含む表層を具備する請求項１に記載の固定子構成体。
【請求項１３】
前記固定子枠体の構成に、前記固定子枠体の底部部分の中央部に位置する孔部と、前記孔
部の縁部に位置する筒状縁部と、を含む請求項１に記載の固定子構成体。
【請求項１４】
前記固定子枠体の構成に、前記固定子枠体の底部部分と前記底部部分の中央部に位置する孔部と、前記孔部の縁部に位置する筒状縁部とを含む底部と、前記固定子枠体から前記底部を除く枠部分を含む枠部と、を含む請求項１に記載の固定子構成体。
【請求項１５】
前記固定子枠体の構成に、前記固定子枠体の底部部分の中央部に位置する孔部と、前記孔部の縁部に位置する筒状縁部とを含み、更に、前記固定子枠体の底部部分の前記孔部及び前記筒状縁部を除く部分に前記弾性体を配置する構成と、前記底部部分の一部分に前記弾性体の配置位置を規制する位置規制部と、前記弾性体の一部分に前記位置規制部に対応する被位置規制部と、を含む請求項１に記載の固定子構成体。
【請求項１６】
前記固定子枠体の構成に、前記固定子枠体の底部部分と前記底部部分の中央部に位置する孔部と前記孔部の縁部に位置する筒状縁部とを含む底部と、前記固定子枠体から前記底部を除く枠部分を含む枠部とを含み、更に、前記底部の底部部分の前記孔部及び前記筒状縁部を除く部分に前記弾性体を配置する構成と、前記底部部分の一部分に前記弾性体の配置の位置を規制する位置規制部と、前記弾性体の一部分に前記位置規制部に対応する被位置規制部と、を含む請求項１に記載の固定子構成体。
【請求項１７】
前記固定子枠体の構成に、前記固定子枠体の底部部分の中央部に位置する孔部と前記孔部の縁部に位置する筒状縁部とを含み、更に、前記固定子枠体の底部部分の前記孔部及び前記筒状縁部を除く部分に前記弾性体を配置する構成と、前記底部部分における前記弾性体と当接する底部部分被当接面に平坦面を有する構成と、前記弾性体における前記底部部分と当接する弾性体被当接面に平坦面を有する構成と、を含む請求項１に記載の固定子構成体。
【請求項１８】
前記固定子枠体の構成に、前記固定子枠体の底部部分と前記底部部分の中央部に位置する孔部と前記孔部の縁部に位置する筒状縁部とを含む底部と、前記固定子枠体から前記底部を除く枠部分を含む枠部とを含み、更に、前記底部の底部部分の前記孔部及び前記筒状縁部を除く部分に前記弾性体を配置する構成と、前記底部部分における前記弾性体と当接する底部部分被当接面に平坦面を有する構成と、前記弾性体における前記底部部分と当接する弾性体被当接面に平坦面を有する構成と、を含む請求項１に記載の固定子構成体。
【請求項１９】
請求項１記載の固定子構成体を含む電動機。
【発明の詳細な説明】
【技術分野】
【０００１】
本発明は、電動機に関し、固定子と固定子枠体とを含む固定子構成体に関する。
【背景技術】
【０００２】
家庭用電気機器の分野、産業用電気機器の分野、あるいは、車載用電気機器の分野などにおいては、電動機や変成器などのようにコイルを有するデバイスが用いられる。近年、これらのデバイスには、より一層の、小型化、薄型化および高出力化が求められる。
【０００３】
従来の技術を示す一例として、図１２から図１４に、電動機及び電動機に含む固定子構成体を示す。
【０００４】
図１２は、従来の電動機に含む固定子構成体の概要を示す概念図である。図１３は、従来の電動機の主要部を示す概念図である。図１４は、図１３に示す従来の電動機の要部拡大図である。
【０００５】
図１２に示すように、電動機の固定子構成体１００１は、固定子枠体１１４の内部に、固定子１１７を含む固定子中間組立体１２０を収容する構成である。なお、図面を見易くするために、図１２には、回転子を描画していない。
【０００６】
図１３に示すように、固定子１１７は、固定子鉄心１１０と、インシュレータ１１１と、固定子巻線１１２と、を備える。そして、固定子中間組立体１２０は、固定子１１７と、印刷配線板１１３と、を含む構成体である。
【０００７】
固定子鉄心１１０には、インシュレータ１１１を介して絶縁電線１１６が巻装される。巻装された絶縁電線１１６は、コイルである固定子巻線１１２を形成する。固定子巻線１１２と印刷配線板１１３とは、後述するように、電気的に接続される。図１２に示すように、固定子巻線１１２が巻装された固定子鉄心１１０は、固定子枠体１１４に挿入される。固定子枠体１１４は、金属等で形成される。
【０００８】
固定子巻線１１２とコネクタ１１５とは、印刷配線板１１３を介して、電気的に接続される。
【０００９】
図１４に示すように、固定子巻線１１２の端部１１２ａは、はんだ１１３ａにより、印刷配線板１１３と電気的に接続される。
【００１０】
図１２に示すように、固定子１１７は、一組の固定用ピン１１８により、固定子枠体１１４の内部に固定される。固定子１１７と固定子枠体１１４が含む壁面１１４ａとの間には、隙間１１９が存在する。換言すれば、固定子１１７は、一組の固定用ピン１１８により、壁面１１４ａと離れて、固定子枠体１１４と接することなく固定される。
【００１１】
電動機の構成要素としては、図１２に示す構成要素以外に、回転子、回転軸である出力軸、一対の軸受、ブラケット等が用いられる。
【００１２】
回転子は、固定子鉄心１１０の内部に形成された空間に位置する。回転子は、固定子１１７と向かい合って、位置する。回転子は、回転軸を回転中心として、回転自在に支持される。
【００１３】
一対の軸受は、回転軸の両端を回転自在に支持する。一方の軸受は、軸受を構成する外輪がブラケットに形成された収容部に固定される。他方の軸受は、軸受を構成する外輪が固定子枠体の底面に形成された収容部に固定される。
【００１４】
上述した、回転子、回転軸である出力軸、一対の軸受、ブラケット等は、広く知られたものが使用できる。
【００１５】
ところで、図１２に示す固定子構成体１００１において、各構成要素の間に生じる隙間には、特に、充填材は用いられていない。換言すれば、固定子構成体１００１において、各構成要素の間に生じる隙間には、空気層が形成される。
【００１６】
この空気層は、空気層の厚み寸法や空気層の容積が過大になれば、熱抵抗が大きくなる。熱抵抗が大きくなった空気層は、放熱を阻害する要因となる。
【００１７】
また、電動機を小型化、薄型化および高出力化するには、つぎの点に関する考察が必要となる。
【００１８】
すなわち、そのひとつは、固定子鉄心に巻装された固定子巻線が抵抗成分を有することである。固定子巻線が有する抵抗成分は、固定子巻線に電流が流されるとき、熱を発生する。この固定子巻線が有する抵抗成分による発熱は、銅損ともいう。
【００１９】
他のひとつは、固定子鉄心に生じる、渦電損とヒステリシス損による発熱である。この渦電損とヒステリシス損による発熱は、鉄損ともいう。
【００２０】
固定子巻線に生じる熱が過大であれば、電動機が取り付けられる電気機器は、電力効率が低下する。また、固定子巻線に生じる熱が過大であれば、電動機が取り付けられる電気機器は、安全性の低下や短寿命化を招く。
【００２１】
つまり、電動機には、小型化や薄型化と高い信頼性とを併せ持つため、放熱特性の向上が強く求められる。
【００２２】
このような要求を満たすために、例えば、特許文献１等においては、つぎの電動機が示される。すなわち、電動機は、固定子巻線と固定子枠体との間に、真空状態で充填された樹脂が存在する。
【００２３】
また、例えば、特許文献２から特許文献５等においては、電動機における固定子巻線のコイルエンドとブラケットとの間の隙間部分に、高熱伝導性の樹脂を配置し、固定子巻線からの発熱を高熱伝導性の樹脂を介してブラケットからの放熱を促す技術思想が記されている。
【先行技術文献】
【特許文献】
【００２４】
【特許文献１】特開昭６０−２８７５５号公報
【特許文献２】特開平８−２２３８６６号公報
【特許文献３】特開２０００−１１６０６３号公報
【特許文献４】特開２００２−３６９４４９号公報
【特許文献５】特開２００４−２７４８８４号公報
【発明の概要】
【発明が解決しようとする課題】
【００２５】
電動機全体の放熱性を高めるために、従来の電動機においては、空気層が位置する固定子巻線と固定子枠体との間に、樹脂を充填する方法が提案されている。この構成によって、固定子巻線と固定子枠体との間に生じる熱抵抗を低減できるため、放熱性は良好なものとなる。
【００２６】
一方、特許文献１等に記された技術には、つぎの検討事項が存在する。すなわち、固定子と固定子枠体との間に樹脂を充填する場合、特許文献１等に示す電動機においては、充填される樹脂に、周囲の空気が気泡として混入し易い。
【００２７】
特に、充填される樹脂にフィラーが含まれる場合は、フィラーの含有率が高くなるほど、樹脂の粘度は高くなる。粘度が高い樹脂を用いれば、樹脂に気泡が混入する量が多くなる。つまり、熱伝導率のみを重要視した場合は、フィラーの含有率が高く、粘度も高い樹脂が採用されることが考えられる。
【００２８】
充填される樹脂に気泡が混入することを防止するには、関連する製造工程を真空状態で行うための設備が必要となる。つまり、特許文献１等に記された電動機の効果を期待するには、大規模な設備が必要となる。
【００２９】
従って、特許文献１等に記された電動機を製造するには、製造設備に対して多額の投資が必要となる。また、特許文献１等に記された電動機を製造するには、製造工程における工数が増加することも懸念される。
【００３０】
換言すれば、特許文献１等に記された電動機は、設備投資によるコスト上昇や、工数増加に伴う経営的課題を内包している。
【００３１】
また、特許文献２から特許文献５等に記された技術においては、電動機の固定子巻線におけるコイルエンドの不均質な形状に起因する隙間が生じることについて、この隙間を抑制する具体的な態様を示すことは無く、不詳であった。
【００３２】
本発明は、上記の課題を解決するものであり、固定子構成体の熱抵抗を低減する新規な構成を具備する固定子構成体及び電動機を提供することを目的とする。
【課題を解決するための手段】
【００３３】
上記課題を解決するために、第１の発明は、固定子磁心と、前記固定子磁心に有するティースの各々を覆うインシュレータと、前記インシュレータ毎に絶縁電線を巻装する巻装体とを含む固定子と、この固定子の巻装体と電気的に接続される印刷配線板とを含む固定子中間組立体と、前記固定子中間組立体を収容する固定子枠体と、前記固定子枠体の内の底部と前記底部と相対する前記固定子中間組立体の対向部との間に位置し且つ前記巻装体における前記固定子枠体の内の底部側に位置するコイルエンド部の各々と前記固定子枠体の底部とを熱結合する弾性体と、前記弾性体に含む複数の放熱結合部の各々と前記コイルエンドの各々とが当接する構成と、を含む固定子構成体である。
【００３４】
また、第２の発明は、第１の発明において、前記放熱結合部の構成に、前記コイルエンドの各々の凸状コイルエンド形状に対応する凹状形状を含む固定子構成体である。
【００３５】
また、第３の発明は、第１の発明において、前記放熱結合部の構成に、前記コイルエンドと前記熱結合部とが接する箇所における前記熱結合部の表層部分に易弾性変形構造を含む固定子構成体である。
【００３６】
また、第４の発明は、第１の発明において、前記放熱結合部の構成に、前記コイルエン
ドと前記熱結合部とが接する箇所における前記熱結合部の表層部分に複数の溝状凹部を列設する易弾性変形構造を含む固定子構成体である。
【００３７】
また、第５の発明は、第１の発明において、前記放熱結合部の構成に、前記コイルエンドと前記熱結合部とが接する箇所における前記熱結合部の表層部分に複数の畝状凸部を列設する易弾性変形構造を含む固定子構成体である。
【００３８】
また、第６の発明は、第１の発明において、前記放熱結合部の構成に、前記コイルエンドと前記熱結合部とが接する箇所における前記熱結合部の表層部分に複数の四角錘を市松模様状に配置する易弾性変形構造を含む固定子構成体である。
【００３９】
また、第７の発明は、第１の発明において、前記放熱結合部の構成に、前記コイルエンドと前記熱結合部とが接する箇所における前記熱結合部の表層部分に複数の台形錘を市松模様状に配置する易弾性変形構造を含む固定子構成体である。
【００４０】
また、第８の発明は、第１の発明において、前記弾性体の構成において、前記弾性体の内部の一部分に熱伝導性を有する金属板体を埋設する構成を含む固定子構成体である。
【００４１】
また、第９の発明は、第１の発明において、前記巻装体の構成において、絶縁電線が整列巻されて前記コイルエンド部の仮想外形包絡面が略平坦である構成を含む固定子構成体である。
【００４２】
また、第１０の発明は、第１の発明において、前記絶縁電線において、前記絶縁電線の被膜である絶縁被膜の上層側に更に融着被膜を具備する構成を含む固定子構成体である。
【００４３】
また、第１１の発明は、第１の発明において、前記コイルエンド部と前記放熱結合部とが衝合する衝合面の少なくとも一部分に樹脂硬化物を含む固定子構成体である。
【００４４】
また、第１２の発明は、第１の発明において、前記弾性体の構成において、前記コイルエンド部の表面又は／及び前記放熱結合部の表面に、熱放射率を高める熱放射性塗膜を含む表層を具備する固定子構成体である。
【００４５】
また、第１３の発明は、第１の発明において、前記固定子枠体の構成に、前記固定子枠体の底部部分の中央部に位置する孔部と、前記孔部の縁部に位置する筒状縁部と、を含む固定子構成体である。
【００４６】
また、第１４の発明は、第１の発明において、前記固定子枠体の構成に、前記固定子枠体の底部部分と前記底部部分の中央部に位置する孔部と、前記孔部の縁部に位置する筒状縁部とを含む底部と、前記固定子枠体から前記底部を除く枠部分を含む枠部と、を含む固定子構成体である。
【００４７】
また、第１５の発明は、第１の発明において、前記固定子枠体の構成に、前記固定子枠体の底部部分の中央部に位置する孔部と、前記孔部の縁部に位置する筒状縁部とを含み、更に、前記固定子枠体の底部部分の前記孔部及び前記筒状縁部を除く部分に前記弾性体を配置する構成と、前記底部部分の一部分に前記弾性体の配置位置を規制する位置規制部と、前記弾性体の一部分に前記位置規制部に対応する被位置規制部と、を含む請求項１に記載の固定子構成体である。
【００４８】
また、第１６の発明は、第１の発明において、前記固定子枠体の構成に、前記固定子枠体の底部部分と前記底部部分の中央部に位置する孔部と前記孔部の縁部に位置する筒状縁
部とを含む底部と、前記固定子枠体から前記底部を除く枠部分を含む枠部とを含み、更に、前記底部の底部部分の前記孔部及び前記筒状縁部を除く部分に前記弾性体を配置する構成と、前記底部部分の一部分に前記弾性体の配置の位置を規制する位置規制部と、前記弾性体の一部分に前記位置規制部に対応する被位置規制部と、を含む固定子構成体である。
【００４９】
また、第１７の発明は、第１の発明において、前記固定子枠体の構成に、前記固定子枠体の底部部分の中央部に位置する孔部と前記孔部の縁部に位置する筒状縁部とを含み、更に、前記固定子枠体の底部部分の前記孔部及び前記筒状縁部を除く部分に前記弾性体を配置する構成と、前記底部部分における前記弾性体と当接する底部部分被当接面に平坦面を有する構成と、前記弾性体における前記底部部分と当接する弾性体被当接面に平坦面を有する構成と、を含む固定子構成体である。
【００５０】
また、第１８の発明は、第１の発明において、前記固定子枠体の構成に、前記固定子枠体の底部部分と前記底部部分の中央部に位置する孔部と前記孔部の縁部に位置する筒状縁部とを含む底部と、前記固定子枠体から前記底部を除く枠部分を含む枠部とを含み、更に、前記底部の底部部分の前記孔部及び前記筒状縁部を除く部分に前記弾性体を配置する構成と、前記底部部分における前記弾性体と当接する底部部分被当接面に平坦面を有する構成と、前記弾性体における前記底部部分と当接する弾性体被当接面に平坦面を有する構成と、を含む固定子構成体である。
【００５１】
また、第１９の発明は、第１の発明の固定子構成体を含む電動機である。
【発明の効果】
【００５２】
本発明によれば、固定子の巻装体の放熱構成について、固定子構成体を低コスト及び低工数で実現可能であり、産業的価値の大いなるものである。
【図面の簡単な説明】
【００５３】
【図１】実施の形態１における固定子構成体の概要を示す断面図
【図２】（ａ）実施の形態１における弾性体の形状の一例の概要を示す断面図（ｂ）実施の形態１における弾性体の形状の一例の概要を示す平面図
【図３】（ａ）実施の形態１における弾性体の凹構造部及凸構造部の概要を示す平面図（ｂ）実施の形態１における弾性体の凹構造部及凸構造部の概要を示す断面図
【図４】実施の形態１における放熱結合部の一例とコイルエンドとの当接状態を示す図
【図５】実施の形態１における放熱結合部の他の例とコイルエンドとの当接状態を示す図
【図６】（ａ）実施の形態１における溝状凹部を列設する易弾性変形構造の概要を示す平面図（ｂ）実施の形態１における溝状凹部を列設する易弾性変形構造の概要を示す正面図
【図７】（ａ）実施の形態１における畝状凸部を列設する易弾性変形構造の概要を示す平面図（ｂ）実施の形態１における畝状凸部を列設する易弾性変形構造の概要を示す正面図
【図８】（ａ）実施の形態１における四角錘を市松模様状に配置する易弾性変形構造を示す平面図（ｂ）実施の形態１における四角錘を市松模様状に配置する易弾性変形構造を示す正面図
【図９】実施の形態１における固定子枠体の底部部分に配置する弾性体の配置を規制する弾性体の被位置規制部の概要を示す図
【図１０Ａ】実施の形態１における固定子構成体を含む電動機の要部を示す斜視組立図
【図１０Ｂ】に示すセグメントコアを説明する斜視図
【図１１Ａ】実施の形態１における固定子構成体を含む電動機の外観を示す正面図
【図１１Ｂ】実施の形態１における固定子構成体を含む電動機の外観を示す側面図
【図１２】一従来例の電動機の概要を示す概念図
【図１３】一従来例の電動機の主要部を示す概念図
【図１４】一従来例の電動機の要部拡大図
【発明を実施するための形態】
【００５４】
以下、本発明の実施の形態について、図面を参照して説明する。なお、以下に記す実施の形態によって本発明が限定されるものではない。
【００５５】
（実施の形態１）
図１には、本実施の形態における固定子構成体１００の概要を示す。電動機に含む固定子構成体１００の構成は、固定子枠体４０の内部に、固定子８０を含む固定子中間組立体９０と、弾性体６０と、を含む。固定子中間組立体９０の構成は、固定子８０と、印刷配線板７０と、を含む。固定子８０の構成は、固定子磁心１０と、インシュレータ２０と、巻装体３０と、を含む。固定子枠体４０の構成は、底部４０ａと、軸受配置孔４０ｂと、筒状縁部４０ｃと、枠部５０と、を含む。
【００５６】
図１において、固定子枠体４０の開口端を上方に図示し、一方、下方には固定子枠体４０の底部４０ａを図示する。この図示した状態の固定子枠体４０の中に、固定子枠体４０の開口端の側から固定子中間組立体９０を納置する。このとき、固定子中間組立体９０は、印刷配線板７０の配置側を固定子枠体４０の開口端の側に位置させる。
【００５７】
なお、図１では図示していないが、固定子枠体４０の開口端の近傍には、コネクタを配置するコネクタ窓部を設けている。このコネクタ窓部に配置されたコネクタと、固定子中間組立体９０とは電気的に接続される構成である。
【００５８】
固定子磁心１０は、回転軸に沿う方向に鋼板を積層して構成される。固定子磁心１０は、積層された鋼板と同様の作用効果を得ることができれば、他の構成を採用しても良い。固定子磁心１０には、インシュレータ２０を介して、巻装体３０が巻き回される。インシュレータ２０は、固定子磁心１０と巻装体３０とを電気的に絶縁するために設置されている。また、上記のインシュレータ２０の材料には、ポリフェニレンスルフィド、ポリイミド、ポリエーテルケトン、液晶ポリマーなどで高強度とする他、これらの材料の剛性を上げるために、ガラス繊維や無機充填剤などのフィラーを加えた樹脂を用いる。
【００５９】
固定子磁心１０は、枠部５０に円形に固定される。この固定には、圧入や焼きバメ、接着剤の硬化による固定など、種々の方法を採用可能である。
【００６０】
固定子枠体４０は、枠部５０と、底部４０ａと、軸受配置孔４０ｂと、筒状縁部４０ｃとを含む。
【００６１】
固定子枠体４０に含む底部４０ａは、固定子磁心１０と巻装体３０の回転軸に沿う方向を覆うように、枠部５０に固定されている。なお、図１においては、固定子枠体４０の底部４０ａと枠部５０を別体の部材として図示しているが、固定子枠体４０の底部４０ａと枠部５０が一体に構成しても良い。固定子枠体４０の底部４０ａは、一般的にアルミや炭素鋼といった金属部材で構成されている。底部４０ａの中央部には、図示していない軸受を配置するための軸受配置孔４０ｂを具備している。そして、軸受配置孔４０ｂの縁部には、図示していない軸受の保持を安定化する筒状縁部４０ｃを具備している。
【００６２】
巻装体３０と固定子枠体４０の底部４０ａとの間は、絶縁性を考慮し、数ｍｍから数ｃ
ｍの距離を設ける。固定子枠体４０の底部４０ａの形状は、設置される軸受けの大きさや種類に合わせて、設計される。また、必要最低限の剛性が保てればよいため、軽量化と材料費削減のために、肉抜き構造やリブ構造を設けてもよい。以上のような形状を有するため、シート状の物体では、巻装体３０と固定子枠体４０の底部４０ａとの隙間を埋めることは困難である。
【００６３】
弾性体６０は、巻装体３０と固定子枠体４０の底部４０ａとの間に配置される。巻装体３０と固定子枠体４０の底部４０ａの間の空間に収まるように、あらかじめ成型されているため、固定子枠体４０の底部の設計自由度を損なうことなく、配置が可能となる。また、材質は、ゴム弾性を有し、空気の熱伝導率（０．０２５Ｗ／ｍ・Ｋ）よりも大きな値の熱伝導率を有するもので構成される。そしてこの弾性体６０は、ゴム弾性を有するため、形状が不安定なコイルエンド３１にも、弾性体６０が変形することで、良好に接触できる。また、空気以上の熱伝導率を有するため、巻装体３０で発生する発熱（銅損）を固定子枠体４０の底部４０ａに良好に伝導することが可能となり、巻装体３０の放熱効果を高めることができる。
【００６４】
印刷配線板７０と巻装体３０とは電気的に接続され、この接続によって各インシュレータ２０に巻装された巻装体３０に含む固定子巻線は、三相回路におけるＹ結線又はΔ結線を構成する。
【００６５】
図２（ａ）及び図２（ｂ）は、本実施の形態における弾性体６０の形状の一例について概要を示す断面図及び平面図である。コイルエンド３１は、インシュレータ２０などの周辺の構造物に対して、凹構造となっている。そのため、弾性体６０は、インシュレータ２０などを避け、コイルエンド３１と接近するため、凸構造の放熱結合部６１を有することが好ましい。放熱結合部６１を有することで、コイルエンド３１と弾性体６０をより近接することが可能となり、巻装体の放熱効果を高めることができる。一方、コイルエンド３１が周辺の構造物に対して凸構造となっている電動機の場合には、放熱結合部６１は凹構造とする。
【００６６】
また、弾性体６０は、放熱結合部６１を環状に配列し且つ放熱結合部６１同士の間を連結する連結部６２を有することが好ましい。連結部６２を有することで、弾性体６０は環状の一体化構造となるため、弾性体６０の配置に際しての工数を削減可能である。
【００６７】
なお、弾性体６０の内部に、弾性体６０よりも熱伝導性の高い金属板によるドーナツ状の金属環を埋設してもよい。本構成を有することで、弾性体６０の熱伝導性能を高め、巻装体３０と固定子枠体４０の底部４０ａとの間の熱伝導性を高めることが可能である。
【００６８】
図３（ａ）及び図３（ｂ）は、本実施の形態における弾性体６０に含む凹構造部６３及び凸構造部６４の概要を示す正面図及び断面図である。図３（ａ）及び図３（ｂ）に示すように、弾性体６０は、固定子枠体４０の底部４０ａに設けられた肉抜き構造やリブ構造と嵌め合うように成型された凹構造部６３及び凸構造部６４を有することが好ましい。凹構造部６３及び凸構造部６４を有することで、弾性体６０と固定子枠体４０に含む底部４０ａとの当接状態が良好なものとなり、巻装体３０と固定子枠体４０に含む底部４０ａとの間の熱伝導性を高めることが可能である。
【００６９】
図４には、本発明の実施の形態１におけるコイルエンド３１のＲ形状に沿う形状をしている放熱結合部６１とコイルエンド３１との接触状態の概要を示す。図４に示すように、放熱結合部６１の表面形状は、コイルエンド３１のＲ形状に沿う形状を有していることが好ましい。この表面形状を有することで、コイルエンド３１と弾性体６０との接触面積が増加し、巻装体３０と固定子枠体４０の底部４０ａとの間の熱伝導性を高めることが可能
である。
【００７０】
図５には、本実施の形態における放熱結合部６１の表面に規則的な凹凸状の成型体によって構成する易弾性変形構造６１ａを有する場合について、放熱結合部６１とコイルエンド３１との接触状態を示す。図５に示すように、放熱結合部６１の表面に規則的な凹凸状の成型体による易弾性変形構造６１ａが構成されていることが好ましい。このような規則的な凹凸状の成型体による易弾性変形構造６１ａが構成されていることで、ゴム弾性だけでは追従できない大きな凹凸を有するコイルエンド３１に対しても、放熱結合部６１の規則的な易弾性変形構造６１ａが柔軟に変形することで、コイルエンド３１と放熱結合部６１との接触面積が増加し、巻装体３０と固定子枠体４０の底部４０ａとの間の熱伝導性を高めることが可能である。
【００７１】
図６（ａ）、図６（ｂ）、図７（ａ）、図７（ｂ）、図８（ａ）及び図８（ｂ）には、実施の形態１における放熱結合部６１の表面に配置する易弾性変形構造の構成の概要を示す。図６（ａ）及び図６（ｂ）には、易弾性変形構造６１ａとして複数の凹部を列設する構成を示す。図７（ａ）及び図７（ｂ）には、易弾性変形構造６１ｂとして複数の四角錘又は複数の台形錘を市松模様状に配置する構成を示す。図８（ａ）及び図８（ｂ）には、易弾性変形構造６１ｃとして複数の畝状凸部を列設する構成を示す。
【００７２】
図９には、本実施の形態における弾性体６０の被位置規制部６５の概要を示す。図９に示すように、弾性体６０には、放熱結合部６１とコイルエンド３１とが当接するように弾性体６０の配置の方向性を規制する被位置規制部６５を備える。被位置規制部６５は、固定子枠体４０の底部４０ａの一部分に配置する特定の形状部分と互いに嵌め合い、位置及び配置方向を規制する構造であれば良く、その構造は、特に限定しない。図９の例においては、固定子枠体４０の底部４０ａに凸部（図示なし）を配置し、この凸部（図示なし）と嵌め合うように、弾性体６０一部に凹部を配置し、この凹部によって被位置規制部６５を構成している。被位置規制部６５を有することで、弾性体６０を設置する際に、弾性体６０の位置及び配置方向について、微調整などの煩雑な工程の簡易化が可能となり、製造工程における工数の削減及び誤配置の防止が可能である。
【００７３】
なお、コイルエンド３１の端部における絶縁導線の外形を包絡する仮想包絡面は、ほぼ平面であることが好ましい。本構成とすることで、弾性体６０とコイルエンド３１との当接部分における隙間が生じることが無く、巻装体３０と固定子枠体４０の底部４０ａとの間の熱伝導性を高めることが可能である。
【００７４】
また、巻装体３０を構成する銅線が自己融着線であることが好ましい。本構成とすることで、コイルエンド３１表面の平坦度が向上するため、弾性体６０とコイルエンド３１との接触面積を増加させ、巻装体３０と固定子枠体４０の底部４０ａとの間の熱伝導性を高めることが可能である。
【００７５】
また、放熱結合部６１とコイルエンド３１との間に、弾性体６０とは異なる樹脂が充填されていることが好ましい。本構成とすれば、ゴム弾性では追従できない細かなコイルエンド３１の凹凸状の成型体に樹脂が充填されるため、コイルエンド３１と弾性体６０との間の熱伝導性を高めることが可能である。
【００７６】
また、放熱結合部６１の表面とコイルエンド３１の少なくとも片方の表面に、放射率を向上する塗料が塗布されていることが好ましい。本構成とすれば、ゴム弾性では追従できない細かなコイルエンド３１の凹凸が存在しても、熱放射によりコイルエンド３１と弾性体６０との間の熱伝導性を高めることが可能である。
【００７７】
図１０Ａ、図１０Ｂに示すように、固定子鉄心１１０は、複数のセグメントコア２２ａが円環状に連結されて形成される。なお、図１０Ａにおいては、セグメントコア２２ａにインシュレータ２０を装着した後に、インシュレータ２０の巻装部に絶縁導線を巻装して、巻装体３０を具備した複数のセグメントコア２２ａを円環状に連結して、固定子枠体４０の内部空間へ収容する。
【００７８】
図１０Ｂに示すように、セグメントコア２２ａは、ヨーク２２と、ティース２３と、鍔部２３ａと、を含む。セグメントコア２２ａは、電磁鋼板などの磁性体を積層して形成される。
【００７９】
図１０Ａに示すように、ティース２３には、インシュレータ２０を介して、固定子巻線１１２が巻装される。固定子巻線１１２を成す絶縁電線には、絶縁被膜が施されている。よって、セグメントコア２２ａと絶縁電線の導体部とは、絶縁被膜とインシュレータ２０とにより、高い絶縁性を有する。
【００８０】
なお、それぞれのセグメントコアは、図１０Ａ及び図１０Ｂに示した構成以外に、他の連結構成でも実現できる。
【００８１】
図１１Ａは、本実施の形態における固定子構成体を含む電動機の外観を示す正面図である。図１１Ｂは、本実施の形態における固定子構成体を含む電動機の外観を示す側面図である。図１１Ａ、図１１Ｂに示すように、本実施の形態における固定子構成体を含む電動機１０１は、固定子枠体４０の内部に軸受のほか各構成要素を有する。固定子枠体４０の外部には、回転子が有する回転軸２４と、コネクタ１１５と、が図示される。
【産業上の利用可能性】
【００８２】
本発明は、家庭用機器、産業用機器などに搭載される電動機に適用可能である。
【符号の説明】
【００８３】
１０  固定子磁心
２０  インシュレータ
２２  ヨーク
２２ａ  セグメントコア
２３  ティース
２４  回転軸
３０  巻装体
３１  コイルエンド
４０  固定子枠体
４０ａ  底部
４０ｂ  軸受配置孔
４０ｃ  筒状縁部
５０  枠部
６０  弾性体
６１  放熱結合部
６１ａ  易弾性変形構造
６１ｂ  易弾性変形構造
６１ｃ  易弾性変形構造
６２  連結部
６３  凹構造部
６４  凸構造部
６５  被位置規制部
７０  印刷配線板
８０  固定子
９０  固定子中間組立体
１００  固定子構成体
１０１  電動機
１１０  固定子鉄心
１１１  インシュレータ
１１２  固定子巻線
１１２ａ  端部
１１３  印刷配線板
１１３ａ  はんだ
１１４  固定子枠体
１１４ａ  壁面
１１５  コネクタ
１１６  絶縁電線
１１７  固定子
１１８  固定用ピン
１１９  隙間
１２０  固定子中間組立体
１００１  固定子構成体
【図１】
2020202602.tif 000003
【図２】
2020202602.tif 000004
【図３】
2020202602.tif 000005
【図４】
2020202602.tif 000006
【図５】
2020202602.tif 000007
【図６】
2020202602.tif 000008
【図７】
2020202602.tif 000009
【図８】
2020202602.tif 000010
【図９】
2020202602.tif 000011
【図１０Ａ】
2020202602.tif 000012
【図１０Ｂ】
2020202602.tif 000013
【図１１Ａ】
2020202602.tif 000014
【図１１Ｂ】
2020202602.tif 000015
【図１２】
2020202602.tif 000016
【図１３】
2020202602.tif 000017
【図１４】
2020202602.tif 000018